(57)【要約】      （修正有）【課題】ペット（犬や猫）にやさしく室内でもブラッシングができるグルーミング用ブラシ、ブラシに絡みついた毛は確実にワンタッチで除去できるペットの吸引ブラッシングヘッドを提供する。【解決手段】下方に吸引口６を有する吸引ヘッド本体１と、前記吸引口に連通すると共に専用取付けホース（図示せず）に接続される専用ホース取付け口７と、前記吸引ヘッド本体にブラシ（突起）２が出没できる複数の垂直貫通長穴（図示せず）を設け、ねじりバネ９ａを配した回転支点金具９をレバー８および吸引ヘッド本体１に固定し、レバー８ａを押す、または離すことによって瞬時に出没自在に配置されたブラシ（突起）２とからなるもので、絡みついたペットの毛はレバー８ａを押すことにより出没自在のブラシ（突起）２を引っ込めるだけで瞬時に抜け落ち吸引されるので連続したブラッシング作業ができ、しかも衛生的である。【選択図】図１
2016073267.tif 000002
【特許請求の範囲】
【請求項１】
下方に吸引口を有する吸引ヘッド本体と、前記吸引口に連通すると共に専用取付けホースに接続される専用ホース取付け口と、前記吸引ヘッド本体にブラシ（突起）が出没できる複数の垂直貫通長穴を設け、回転支点金具を配したレバーを押す、または離すことによって瞬時に出没自在に配置されたブラシ（突起）とからなるもので、絡みついたペットの毛はレバーを押すことにより出没自在のブラシ（突起）を引っ込めるだけで瞬時に抜け落ち吸引されるので連続したブラッシング作業ができ、しかも衛生的であることを特徴とするペットの吸引ブラッシングヘッド。
【請求項２】
回転支点金具には、ねじりバネを配し一方を吸引ヘッド本体に固定もう一方をレバーに固定したことを特徴とした請求項１のペットの吸引ブラッシングヘッド。
【請求項３】
レバーの力点を指で押すと作用点である連結ピン（２箇所）が回転支点を中心に弧を描きながらスライドフレーム（２箇所）内側上部に接触して、ズレながらブラシ基台を持ち上げることによりブラシ（突起）が垂直に吸引ヘッド本体より没することを特徴とした請求項１、及び２のペットの吸引ブラッシングヘッド。
【請求項４】
レバーの力点から指を離すことにより、ねじりバネの反発力によって回転支点を中心にレバーの力点を持ち上げ、レバー先端の作用点が弧を描きブラシ基台上の中心部付近を押すことによって没していたブラシ（突起）が瞬時に垂直に吸引ヘッド本体から出て現れることを特徴とした請求項１、及び２のペットの吸引ブラッシングヘッド。
【請求項５】
ペットの吸引ブラッシングヘッドの専用ホース取り付け口に掃除機側のホースを装着し、レバーの力点を押すとブラシ（突起）の部分が吸引ヘッド本体より持ち上がり完全に没すると同時に絡みついた抜け毛はブラシ（突起）から抜け落ちて吸引ヘッド本体の吸引口から吸い取ることを特徴とする請求項１、及び３のペットの吸引ブラッシングヘッド。
【請求項６】
レバーの力点を指で押す、または離すことを繰り返す事により、ブラッシングとブラシ（突起）に絡まった抜け毛の吸引が交互に連続作業できることを特徴とした請求項１〜５のペットの吸引ブラッシングヘッド。
【発明の詳細な説明】
【技術分野】
【０００１】  本発明は、ペット（犬や猫）にやさしく室内でもブラッシングができるグルーミング用ブラシ、ブラシに絡みついた毛は確実にワンタッチで除去できるペットの吸引ブラッシングヘッドに関するものである。
【背景技術】
【０００２】  従来、この種のグルーミング用ブラシは、木製やプラスチック製でブラシ部分が金属製や樹脂製等があった。
中には、掃除機に装着して抜け毛を吸い取るなどのペットスッキリブラシがあった（特許文献１参照）。
【先行技術文献】
【特許文献】
【０００３】
【特許文献１】  特開２００８−１６７７２４号公報
【発明の概要】
【発明が解決しようとする課題】
【０００４】  そのため、次のような問題点があった。
（イ）上記特許文献１に記載されていたペットスッキリブラシでは、ブラシ（突起）を垂      直に上下動させるためにスプリング入りのガイドを設けて、レバーでブラシ基台を      上下すためブラシ（突起）の出没機構空間と抜け毛を吸い込む吸引空間の仕切りを      設ける必要があり構造が複雑になる課題があった。
（ロ）また、（イ）の空間との仕切りにはブラシ（突起）から抜け毛をこそぎ落とすため      の同位置同本数分の貫通穴を設ける事が必要であるため成型が難しい課題があった      。
（ハ）ブラシ（突起）の材質がプラスチック製のためブラッシング時に静電気が発生して      ブラシに纏わりつく課題があった。
（ニ）ブラシ（突起）に絡みついた毛はブラシ（突起）面を裏返して、目視で抜け毛量を      確認後、レバー操作を行うためブラッシング作業が途切れる課題があった。
本発明は、以上の問題点を解決するためになされたものである。
【問題を解決するための手段】
【０００５】  下方に吸引口を有する吸引ヘッド本体と、前記吸引口に連通すると共に専用取付けホースに接続される専用ホース取付け口と、前記吸引ヘッド本体にブラシ（突起）が出没できる複数の垂直貫通長穴を設け、ねじりバネを配した回転支点金具をレバーおよび吸引ヘッド本体に固定し、レバーを押す、または離すことによって瞬時に出没自在に配置されたブラシ（突起）とからなるもので、絡みついたペットの毛はレバーを押すことにより出没自在のブラシ（突起）を引っ込めるだけで瞬時に抜け落ち吸引されるので連続したブラッシング作業ができ、しかも衛生的である。
以上を特徴とするペットの吸引ブラッシングヘッド。
【発明の効果】
【０００６】（イ）ペットの吸引ブラッシングヘッドは吸引ヘッド本体とブラシ（突起）、及びそれを      植え込むブラシ基台、ブラシ基台とレバーを連結するスライド金具と連結ピン、ね      じりバネを配した回転支点金具から構成することにより部品点数が少なく構造が簡      単でメンテナンスが容易になる。
（ロ）吸引ヘッド本体にブラシ（突起）を垂直に抜き差しする垂直貫通長穴を設けること      で成型が容易になる。
（ハ）ブラシ（突起）の材質に先端を丸く研磨したステンレス製の串を配した事で静電気      が防止できると共にペットの皮膚への負担が軽減できる。
（ニ）吸引ヘッド本体は、透明樹脂を使用しブラシ（突起）に絡まった毛量が透視できる      ことでレバーを押して毛を吸引する時期判断が容易につきやすくなる。
【図面の簡単な説明】
【０００７】
【図１】  本発明のペットの吸引ブラッシングヘッドの斜視図である。
【図２】  同ペットの吸引ブラッシングヘッドの組立斜視図である。
【図３】  同ペットの吸引ブラッシングヘッドの表面斜視図である。
【図４】  同ペットの吸引ブラッシングヘッドの裏面斜視図である。
【図５】  同ペットの吸引ブラッシングヘッドのレバー（力点）を押し連結ピンがスライドフレーム内の上部に接触し弧を描き、ズレながら移動してブラシ基台を持ち上げブラシが垂直に上昇する状態の断面図である。
【図６】  同ペットの吸引ブラッシングヘッドのレバーから指を離した時に、ねじりバネの反発でレバー（力点）を持ち上げ、レバーの作用点が弧を描きブラシ基台上をズレながら下方に押しブラシが垂直に出ている状態の断面図である。
【図７】  同ペットの吸引ブラッシングヘッドの専用取付けホースであり、一方を吸引ヘッド本体の専用ホース取付け口に接続し、もう一方はテーパー管を掃除機ホースに挿入する説明図である。
【発明を実施するための形態】
【０００８】  以下、本発明の実施の形態について説明する。
（イ）先端を丸く研磨したステンレス製の突起を等間隔に複数列ブラシ基台（３）に植え      込んだブラシ（突起）（２）を設ける。
（ロ）ブラシ基台（３）上面両端にスライドフレーム（４）２個を圧入し固定したものを      設ける。
（ハ）吸引ヘッド本体（１）にブラシ（突起）（２）がスムーズに垂直に上下動ができる      垂直貫通長穴（１０）を設ける。
（ニ）（ハ）の垂直貫通長穴（１０）は強度を確保するためにある一定の間隔で仕切りを      設ける。
（ホ）ブラシ（突起）（２）を垂直に吸引ヘッド本体上部（１）に差し込んだものを設け      る。
（ヘ）ねじりバネ（９ａ）を配した回転支点金具（９）の一方をレバー（８）に固定、も      う一方を吸引ヘッド本体（１）に固定したものを設ける。
（ト）レバー（８）の作用点側２か所に連結ピン（５）をスライドフレーム（４）内に挿      入してブラシ基台（３）と連結したものを設ける。
本発明は以上のような構成である。
これを使用するときは、レバー（８ａ）を押すことで（２）のブラシ（突起）が吸引ヘッド本体内部に没し（引っ込み）、離すことで回転支点取り付け金具に組み込まれたねじりバネ（９ａ）の反発力によりブラシ（突起）（２）が垂直に出る（現われる）。
この操作を繰り返すことで煩わしい無駄な作業をする必要がなく、吸入口（６）を設けることで抜け毛や汚れが一つも残らずきれいに吸い取られる。
このペットの吸引ヘッド本体（１）は、透明樹脂製のためブラッシング中にブラシ（突起）に絡み付いた毛量が透視できるためレバーを押す時期の判断がし易い。
また、このペットの吸引ブラッシングヘッドの専用ホース（１１）は、掃除機取り付け側がテーパー管（１１ｂ）になっているため、各種メーカーの掃除機にも装着ができ、簡単でしかも清潔にペットの毛を吸い取ることができる。
【符号の説明】
【０００９】  １      吸引ヘッド本体
２      ブラシ
３      ブラシ基台
４      スライドフレーム
５      連結ピン
６      吸引口
７      専用ホース取付け口
８      レバー
８ａ    レバー（力点）
８ｂ    レバー（作用点）
９      回転支点金具
９ａ    ねじりバネ
９ｂ    回転支点シャフト
１０    ブラシ（突起）の出没垂直貫通長穴
１１    ペットの吸引ブラッシングヘッド専用取付けホース
１１ａ  ペットの吸引ブラッシングヘッド取付け口
１１ｂ  掃除機側取付けテーパー管
【図１】
2016073267.tif 000003
【図２】
2016073267.tif 000004
【図３】
2016073267.tif 000005
【図４】
2016073267.tif 000006
【図５】
2016073267.tif 000007
【図６】
2016073267.tif 000008
【図７】
2016073267.tif 000009